(57)【要約】【課題】絶縁被覆層を簡単かつ適切に切断できるワイヤストリッパを提供する。【解決手段】開閉可能な一対の刃部を備え、線状の導体と該導体を被覆する絶縁被覆層とからなるワイヤの絶縁被覆層を切断する際に用いられるワイヤストリッパであって、一対の刃部の一方には、ワイヤから除去される絶縁被覆層の長さを測定するための目盛を有し、一対の刃部の開閉方向に対して交差する方向に延びる定規部が設けられている。【選択図】図１
2018064434.tif 000002
【特許請求の範囲】
【請求項１】
開閉可能な一対の刃部を備え、線状の導体と該導体を被覆する絶縁被覆層とからなるワイヤの該絶縁被覆層を切断する際に用いられるワイヤストリッパであって、
該一対の刃部の一方には、該ワイヤから除去される該絶縁被覆層の長さを測定するための目盛を有し、該一対の刃部の開閉方向に対して交差する方向に延びる定規部が設けられていることを特徴とするワイヤストリッパ。
【発明の詳細な説明】
【技術分野】
【０００１】
本発明は、線状の導体を絶縁被覆層で被覆してなるワイヤの絶縁被覆層の一部を除去する際に用いられるワイヤストリッパに関する。
【背景技術】
【０００２】
各種配線等に使用されるワイヤ（電線）は、例えば、線状の導体を絶縁被覆層によって被覆することで形成される。そのため、ワイヤを端子等に接続する際には、絶縁被覆層の一部を除去して導体を露出させる必要がある。この作業には、通常、導体を被覆する絶縁被覆層の切断に適したワイヤストリッパと呼ばれる工具が用いられる（例えば、特許文献１及び特許文献２参照）。
【先行技術文献】
【特許文献】
【０００３】
【特許文献１】特開平７−７９５１３号公報
【特許文献２】特開２００８−２８９３２８号公報
【発明の概要】
【発明が解決しようとする課題】
【０００４】
ところで、上述のようなワイヤストリッパで絶縁被覆層を切断、除去する際には、切断する位置を作業者の感覚で決めることがある。しかしながら、感覚には個人差があるので、この方法では、除去すべき長さの絶縁被覆層を適切に除去できないことがあった。絶縁被覆層の長さを測定して切断すべき位置に目印等を付せば、この問題を解消できるが、長さを測定して目印等を付すという手間が増えるので、作業の効率は低下してしまう。
【０００５】
本発明はかかる問題点に鑑みてなされたものであり、その目的とするところは、絶縁被覆層を簡単かつ適切に切断できるワイヤストリッパを提供することである。
【課題を解決するための手段】
【０００６】
本発明の一態様によれば、開閉可能な一対の刃部を備え、線状の導体と該導体を被覆する絶縁被覆層とからなるワイヤの該絶縁被覆層を切断する際に用いられるワイヤストリッパであって、該一対の刃部の一方には、該ワイヤから除去される該絶縁被覆層の長さを測定するための目盛を有し、該一対の刃部の開閉方向に対して交差する方向に延びる定規部が設けられていることを特徴とするワイヤストリッパが提供される。
【発明の効果】
【０００７】
本発明の一態様に係るワイヤストリッパは、一対の刃部の一方に、ワイヤから除去される絶縁被覆層の長さを測定するための目盛を有し、一対の刃部の開閉方向に対して交差する方向に延びる定規部が設けられているので、絶縁被覆層を切断する際に、その長さを測定できる。つまり、作業者の感覚で切断する位置を決める必要がなく、また、切断する位置に目印等を付す必要もない。よって、絶縁被覆層を簡単かつ適切に切断できる。
【図面の簡単な説明】
【０００８】
【図１】ワイヤストリッパの構成例を模式的に示す斜視図である。
【図２】図２（Ａ）及び図２（Ｂ）は、ワイヤストリッパの使用方法を説明するための図である。
【発明を実施するための形態】
【０００９】
添付図面を参照して、本発明の一態様に係る実施形態について説明する。図１は、本実施形態に係るワイヤストリッパの構成例を模式的に示す斜視図である。図１に示すように、ワイヤストリッパ２は、所定の方向に延びる第１部材４と第２部材６とを有している。
【００１０】
第１部材４の基端側（一端側）には、作業者によって把持される把持部４ａが設けられている。一方で、第１部材４の先端側（他端側）は、後述するワイヤ（電線）１（図２（Ａ）等参照）の絶縁被覆層１ｂ（図２（Ａ）等参照）を切断するための刃部４ｂになっている。
【００１１】
第２部材６の構成は、第１部材４の構成に類似している。すなわち、第２部材６の基端側（一端側）には、作業者によって把持される把持部６ａが設けられている。また、第２部材６の先端側（他端側）は、ワイヤ１の絶縁被覆層１ｂを切断するための刃部６ｂになっている。
【００１２】
第１部材４と第２部材６とは、一対の刃部４ｂ，６ｂを開閉できるように連結部材８によって連結される。具体的には、連結部材８は、第１部材４と第２部材６とが交差するように、把持部４ａ，６ａと刃部４ｂ，６ｂとの間の位置で第１部材４と第２部材６とを連結している。
【００１３】
よって、把持部４ａと把持部６ａとを把持して閉じることで、一対の刃部４ｂ，６ｂを閉じることができる。一方で、連結部材８の把持部４ａ，６ａ側には、把持部４ａ，６ａに対して開く方向の力を付与する弦巻ばね等の付勢部材１０が設けられている。
【００１４】
把持部４ａ，６ａを把持する力を緩めると、把持部４ａと把持部６ａとは、付勢部材１０から作用する力によって開く。すなわち、把持部４ａ，６ａを把持する力を緩めることで、一対の刃部４ｂ，６ｂを開くことができる。
【００１５】
刃部４ｂの内側（刃部４ｂの刃部６ｂ側）には、径の異なる複数の半円状の刃４ｃが設けられている。また、刃部６ｂの内側（刃部６ｂの刃部４ｂ側）には、刃４ｃに対応する複数の半円状の刃６ｃが設けられている。ワイヤ１の絶縁被覆層１ｂを、ワイヤ１（絶縁被覆層１ｂ）に対応する径の刃４ｃ，６ｃに接触させて、一対の刃部４ｂ，６ｂを閉じれば、絶縁被覆層１ｂを切断できる。
【００１６】
また、刃４ｃに隣接する刃部４ｂの側面には、一対の刃部４ｂ，６ｂの開閉方向Ｄ１に対して交差（例えば、直交）する方向Ｄ２に延びる定規（定規部）１２が固定されている。この定規１２の刃４ｃ側の表面１２ａには、ワイヤ１から除去される絶縁被覆層１ｂの長さを測定するための目盛１２ｂが付されている。よって、絶縁被覆層１ｂを切断する際には、目盛１２ｂによってその長さを測定できる。
【００１７】
このように構成されるワイヤストリッパ２の使用方法について説明する。図２（Ａ）及び図２（Ｂ）は、ワイヤストリッパ２の使用方法を説明するための図である。図２（Ａ）に示すように、まず、刃部４ｂと刃部６ｂとでワイヤ１を軽く挟んで、ワイヤ１に刃４ｃ，６ｃを接触させる。
【００１８】
なお、ワイヤ１は、例えば、銅等の金属でなる線状の導体１ａ（図２（Ｂ））の周囲を樹脂等でなる絶縁被覆層１ｂで被覆して形成される。そのため、絶縁被覆層１ｂのみを切断して除去する場合には、導体１ａの径に対応する径の刃４ｃ，６ｃを接触させるようにワイヤ１を刃部４ｂと刃部６ｂとで挟む。
【００１９】
次に、目盛１２ｂを読んで、ワイヤ１から除去される絶縁被覆層１ｂの長さを測定する。なお、図２（Ａ）では、約８ｍｍの長さの絶縁被覆層１ｂが除去される状態を示している。ワイヤ１から除去される絶縁被覆層１ｂの長さを変更したい場合には、所望の長さに合わせて刃４ｃ，６ｃとワイヤ１との位置関係を変更すれば良い。
【００２０】
その後、把持部４ａと把持部６ａとを強く把持して、一対の刃部４ｂ，６ｂを閉じる。これにより、絶縁被覆層１ｂに刃４ｃ，６ｃを押し当てて、所望の長さの絶縁被覆層１ｂを切断できる。絶縁被覆層１ｂを切断した後には、図２（Ａ）に示すように、切断された絶縁被覆層１ｂをワイヤ１から除去する。これにより、図２（Ｂ）に示すように、線状の導体１ａを露出させることができる。
【００２１】
以上のように、本実施形態のワイヤストリッパ２は、刃部４ｂ（一対の刃部４ｂ，６ｂの一方）に、ワイヤ１から除去される絶縁被覆層１ｂの長さを測定するための目盛１２ｂを有し、一対の刃部４ｂ，６ｂの開閉方向Ｄ１に対して交差する方向Ｄ２に延びる定規（定規部）１２が設けられているので、絶縁被覆層１ｂを切断する際に、その長さを測定できる。つまり、作業者の感覚で切断する位置を決める必要がなく、また、切断する位置に目印等を付す必要もない。よって、絶縁被覆層１ｂを簡単かつ適切に切断できる。
【００２２】
なお、本発明は、上記実施形態の記載に制限されず種々変更して実施可能である。例えば、上記実施形態では、表面１２ａが概ね平坦な定規（定規部）１２を用いているが、ワイヤ１をガイドするための複数のガイド溝等を表面１２ａに設けても良い。この場合、ガイド溝によってワイヤ１をガイドできるので、ワイヤ１から除去される絶縁被覆層１ｂの長さを測定し易くなる。
【００２３】
また、ワイヤ１（絶縁被覆層１ｂ）の識別に適した色彩を、定規１２の表面１２ａや目盛１２ｂに付しても良い。この場合にも、ワイヤ１から除去される絶縁被覆層１ｂの長さを測定し易くなる。
【００２４】
さらに、定規１２の延びる方向に沿ってスライド可能な突き当て部材を設けても良い。この場合、希望する長さの位置に突き当て部材を合わせ、ワイヤ１の先端を突き当て部材に突き当てることで、所望の長さの絶縁被覆層１ｂをより簡単に切断して除去できるようになる。
【００２５】
その他、上記実施形態に係る構造、方法等は、本発明の目的の範囲を逸脱しない限りにおいて適宜変更して実施できる。
【符号の説明】
【００２６】
２  ワイヤストリッパ
４  第１部材
４ａ  把持部
４ｂ  刃部
４ｃ  刃
６  第２部材
６ａ  把持部
６ｂ  刃部
６ｃ  刃
８  連結部材
１０  付勢部材
１２  定規（定規部）
１２ａ  表面
１２ｂ  目盛
Ｄ１  開閉方向
Ｄ２  方向
１  ワイヤ
１ａ  導体
１ｂ  絶縁被覆層
【図１】
2018064434.tif 000003
【図２】
2018064434.tif 000004